(57)【要約】【課題】脱いだ衣類又は小物を身体に簡単かつ確実に保持でき、自由に行動でき、しかも小型で携帯に便利である携帯用保持具を提供する。【解決手段】携帯用保持具１０は、脱いだ衣類又は小物を身体に保持するための保持部材１１と、保持部材１１の両端に設けられる係脱可能な止部材１２，１３と、を有する。保持部材１１は、伸縮性を有するネットまたは帯びである。止部材１２，１３は、使用しないときに保持部材１１を収納する収納部を有する。止部材は、使用しないときに収納部に保持部材を収納した状態で携帯するための係止部を有する。【選択図】図１
2010042116.tif 000002
【特許請求の範囲】
【請求項１】
脱いだ衣類又は小物を身体に保持するための保持部材と、
前記保持部材の両端に設けられる係脱可能な止部材と、
を有することを特徴とする携帯用保持具。
【請求項２】
前記保持部材は、伸縮性を有するネットまたは帯びであることを特徴とする請求項１に記載の携帯用保持具。
【請求項３】
前記止部材は、使用しないときに前記保持部材を収納する収納部を有することを特徴とする請求項１または請求項２に記載の携帯用保持具。
【請求項４】
前記止部材は、使用しないときに前記収納部に前記保持部材を収納した状態で携帯するための係止部を有することを特徴とする請求項３に記載の携帯用保持具。
【発明の詳細な説明】
【技術分野】
【０００１】
この発明は、脱いだ衣類又は小物を身体に保持することが可能な携帯用保持具に関する。
【背景技術】
【０００２】
従来、多種の携帯必需品を入れるものとして、一般的な手提げまたは肩掛けハンドバッグあるいはセカンドバッグなどが用いられている。
【０００３】
また、主として、健康保険証、老人保険証、診察券、銀行通帳、金銭、各種カード等の紙片状の携帯必需品を多種類収納して携帯する多種収納ポシェットが提案されている（特許文献１）。
【特許文献１】特開２００４−７３７８０
【発明の開示】
【発明が解決しようとする課題】
【０００４】
このように、小物を入れる種々のものが知られているが、例えば、室内から外出した場合に、特に自転車や自動二輪車に乗っているとき、あるいはデパート、クラブイベント等の会場では、気温の変化が大きくなることがある。このような場合には、着ている上着を脱ぎたくなるが、脱いだ上着が邪魔になるために、腰に巻いたり、肩に掛けて結んだりしている。
【０００５】
このように、単に上着を腰に巻いたり、肩にかけたりするが、結局不安定で、自由に行動することができないなどの問題がある。
【０００６】
この発明は、以上の点を考慮してなされたもので、脱いだ衣類又は小物を身体に簡単かつ確実に保持でき、自由に行動でき、しかも小型で携帯に便利である携帯用保持具を提供することを目的としている。
【課題を解決するための手段】
【０００７】
前記課題を解決し、かつ目的を達成するために、この発明は、以下のように構成した。
【０００８】
請求項１に記載の発明は、
脱いだ衣類又は小物を身体に保持するための保持部材と、
前記保持部材の両端に設けられる係脱可能な止部材と、
を有することを特徴とする携帯用保持具である。
【０００９】
請求項２に記載の発明は、
前記保持部材は、伸縮性を有するネットまたは帯びであることを特徴とする請求項１に記載の携帯用保持具である。
【００１０】
請求項３に記載の発明は、
前記止部材は、使用しないときに前記保持部材を収納する収納部を有することを特徴とする請求項１または請求項２に記載の携帯用保持具である。
【００１１】
請求項４に記載の発明は、
前記止部材は、使用しないときに前記収納部に前記保持部材を収納した状態で携帯するための係止部を有することを特徴とする請求項３に記載の携帯用保持具である。
【発明の効果】
【００１２】
前記構成により、この発明は、以下のような効果を有する。
【００１３】
請求項１に記載の発明では、脱いだ衣類又は小物を、身体を利用して簡単かつ確実に保持することができ、衣類又は小物が邪魔にならず自由に行動することができ、しかも取り扱いが容易である。
【００１４】
請求項２に記載の発明では、伸縮性を有するネットまたは帯びを用いることで、脱いだ衣類又は小物に応じて伸縮することで、身体に確実に保持することができる。
【００１５】
請求項３に記載の発明では、使用しないときにはコンパクトになり、携帯に便利である。
【００１６】
請求項４に記載の発明では、使用しないときにはコンパクトになり、しかもズボンのバンドなどに係止することができ、鞄などに入れて携帯する必要がなく、携帯に便利である。
【発明を実施するための最良の形態】
【００１７】
以下、この発明の携帯用保持具の実施の形態について説明する。この発明の実施の形態は、発明の最も好ましい形態を示すものであり、この発明はこれに限定されない。
【００１８】
まず、携帯用保持具の構成について説明する。
（第１の実施の形態）
図１乃至図３は第１の実施の形態の携帯用保持具の構成について説明する図であり、図１は保持部材を引き出した状態を示す図、図２は保持部材を収納した状態を示す図、図３は収納部を示す断面図である。
【００１９】
この実施の形態の携帯用保持具１０は、保持部材１１と、止部材１２，１３と、を有する。止部材１２，１３は、例えば樹脂で形成され、保持部材１１の両端に設けられている。止部材１２は爪部１２ａを有し、止部材１３は止め部１３ａを有し、止部材１２，１３は、爪部１２ａと止め部１３ａとの凹凸係合によって係脱可能になっている。
【００２０】
すなわち、図２に示すように、携帯用保持具１０は、止部材１２の爪部１２ａを止部材１３の止め部１３ａに挿入すると自動的に凹凸係合して一体に組み付けられる。このように、止部材１２と止部材１３とが一体に組み付けられた状態で、指で止部材１３の止め部１３ａを押すと、止部材１２の爪部１２ａとの凹凸係合が解除され、止部材１２と止部材１３とは、図１に示すように、離間させて保持部材１１を引き出すことができる。
【００２１】
保持部材１１は、脱いだ衣類又は小物を身体に保持するためのもので、伸縮性を有するネットまたは帯びなどで構成されるが、伸縮性を有していないものでもよい。保持部材１１の材質としては、ゴム、樹脂、コットンなどを用いることができ、伸縮性あるなし関わらず、上着などを包める全ての素材を用いることができる。
【００２２】
止部材１２は、使用しないときに保持部材１１の一部を収納する収納部１２ｂを有し、さらに係止部１２ｃを有する。
【００２３】
収納部１２ｂには、回転軸１２ｅが配置され、この回転軸１２ｅの両側にブレーキ機能を有するぜんまいバネ機構１２ｆが設けられている。回転軸１２ｅには、保持部材１１の一端部が固定され、ぜんまいバネ機構１２ｆは保持部材１１を常に巻き取る方向に付勢している。
【００２４】
係止部１２ｃは、使用しないときに例えばベルトなどに通して携帯するためのものである。
【００２５】
止部材１３は、使用しないときに保持部材１１の一部を収納する収納部１３ｂを有する。収納部１３ｂには、回転軸１３ｅが配置され、この回転軸１３ｅの両側にブレーキ機能を有するぜんまいバネ機構１３ｆが設けられている。回転軸１３ｅには、保持部材１１の一端部が固定され、ぜんまいバネ機構１３ｆは保持部材１１を常に巻き取る方向に付勢している。
【００２６】
この実施の形態では、止部材１２の収納部１２ｂと、止部材１３の収納部１３ｂの両方に、ぜんまいバネ機構を設けているが、これに限定されずいずれか一方に設けてもよい。
【００２７】
この実施の形態の保持部材１１は、収納部１２ｂ及び収納部１３ｂの幅よりやや狭い幅に形成されているが、図４及び図５に示すように、収納部１２ｂ及び収納部１３ｂの幅の２倍の広い幅に形成してもよい。図４は保持部材の使用前の状態を示す図、図５は保持部材の使用時の状態を示す図である。
【００２８】
図４に示す保持部材１１の使用前は、幅方向の両側を内側に折り畳み、幅方向の両端を対向するように合わせた状態である。図５に示す保持部材１１の使用時は、幅方向の両端を広げ、この広げた状態では中央部が最も広くなり、両側の止部材１２及び止部材１３の方向に向けて包み込むように狭い幅になっている。
【００２９】
したがって、保持部材１１の使用前には、収納部１２ｂ及び収納部１３ｂにコンパクトに収納でき、使用時には脱いだ衣類又は小物を包み込むようにして確実に保持することができる。
（第２の実施の形態）
図６及び図７は第２の実施の形態の携帯用保持具の構成について説明する図であり、図６は収納部から保持部材を引き出した状態を示す図、図７は収納部に保持部材を収納した状態を示す図である。
【００３０】
この第２の実施の形態の携帯用保持具１０は、保持部材１１と、止部材１２，１３と、を有し、止部材１２と止部材１３とを組み付けることで収納部１２ｂ，１３ｂに保持部材１１を収納することができるようになっている構成が、第１の実施の形態と異なり、他の構成は同じであるから同じ符号を付して説明を省略する。
【００３１】
収納部１２ｂには、保持部材１１の一端部が固定され、収納部１２ｂに保持部材１１の一部を収納するようになっており、開口部に係合段部１２ｈを有する。
【００３２】
収納部１３ｂにも同様に、保持部材１１の他端部が固定され、保持部材１１の一部を収納するようになっており、開口部に係合突部１３ｈを有する。
【００３３】
この携帯用保持具１０を使用しないときには、図７に示すように、止部材１２の係合段部１２ｈと、止部材１３の係合突部１３ｈとを係合した状態で、収納部１２ｂと、収納部１３ｂに保持部材１１を折り畳んで収納する。
【００３４】
次に、携帯用保持具の使用について説明する。
【００３５】
図８は脱いだ上着を背中に保持する場合を説明する図である。例えば、特に自転車や自動二輪車に乗っているとき、またデパート、クラブイベント等の会場では、気温の変化が大きくなることがある。このため、外出するときには、携帯用保持具１０は、保持部材１１を止部材１２，１３に収納した状態で、ポケットに入れたり、係止部１２ｃをズボンのベルトに通したりして出かける。
【００３６】
気温が上昇し、着ている上着２０を脱ぐことがあると、携帯用保持具１０を取り出して、止部材１２と止部材１３との係合を解除し、止部材１２と止部材１３とを引き離すことで、収納した保持部材１１を引き出す。
【００３７】
そして、図８に示すように、脱いだ上着２０を保持部材１１で包み込み、止部材１２と止部材１３とを右手と左手で持ち、脱いだ上着２０を保持部材１１で包み込んだ状態で背中に掛け、保持部材１１を所定長さに調節して止部材１２と止部材１３とを係合する。
【００３８】
このようにして、携帯用保持具１０によって、脱いだ衣類を、身体を利用して簡単かつ確実に保持することができ、衣類が邪魔にならず自由に行動することができ、しかも取り扱いが容易である。
【００３９】
また、保持部材１１は、伸縮性を有するネットまたは帯びを用いることで、脱いだ衣類に応じて伸縮することで、身体に確実に保持することができる。
【００４０】
また、携帯用保持具１０は、使用しないときにはコンパクトになり、キーホルダーに付けたり、ポケットなどに入れることができ、携帯に便利である。また、ズボンのバンドなどに係止することができ、鞄などに入れて携帯する必要がなく、携帯に便利である。
【００４１】
この実施の形態では、脱いだ衣類を背中に保持する場合について説明したが、腰に保持するようにしてもよい。また、上着などの衣類に限定されず、財布、免許証、タバコケースなどの小物を、身体を利用して簡単かつ確実に保持することができる。
【産業上の利用可能性】
【００４２】
この発明は、脱いだ衣類又は小物を身体に保持することが可能な携帯用保持具に適用可能であり、脱いだ衣類又は小物を身体に簡単かつ確実に保持でき、自由に行動でき、しかも小型で携帯に便利である。
【図面の簡単な説明】
【００４３】
【図１】第１の実施の形態の携帯用保持具から保持部材を引き出した状態を示す図である。
【図２】保持部材を収納した状態を示す図である。
【図３】収納部を示す断面図である。
【図４】保持部材を使用前の他の実施の形態を示す図である。
【図５】保持部材を使用時の他の実施の形態を示す図である。
【図６】第２の実施の形態の携帯用保持具から保持部材を引き出した状態を示す図である。
【図７】収納部に保持部材を収納した状態を示す図である。
【図８】脱いだ上着を背中に保持する場合を説明する図である。
【符号の説明】
【００４４】
１０  携帯用保持具
１１  保持部材
１２，１３  止部材
【図１】
2010042116.tif 000003
【図２】
2010042116.tif 000004
【図３】
2010042116.tif 000005
【図４】
2010042116.tif 000006
【図５】
2010042116.tif 000007
【図６】
2010042116.tif 000008
【図７】
2010042116.tif 000009
【図８】
2010042116.tif 000010